(57)【要約】      （修正有）【課題】引き出しを持つ箱型家具において、引き出し内部の内容物の吸湿、吸臭を行うことができる収納物吸湿可能な引き出し付き家具を提供する。【解決手段】引き出しを持つ箱型家具において、各中棚板１１にパーミキュライトとケイ酸カルシウムと繊維質材とを含む調湿材である、厚さ４〜６ｍｍで、縦横それぞれ１５０〜９００ｍｍの高吸湿・吸臭性平板５を張り、各引き出しの底板７に直径３〜８ｍｍφの貫通穴部を１０〜２０個／１００平方センチメートルの割合で全面に施して、引き出しの下部の両サイドにスライドレール９を取り付けた、収納物吸湿可能な引き出し付き家具である。【選択図】図３
0003229591.tif 000002
【実用新案登録請求の範囲】
【請求項１】
引き出しを持つ箱型家具において、各中棚板にパーミキュライトとケイ酸カルシウムと繊維質材とを含む調湿材である、厚さ４〜６ｍｍで、縦横それぞれ１５０〜９００ｍｍの高吸湿・吸臭性平板を張り、各引き出しの底板に直径３〜８ｍｍφの貫通穴部を５〜２０個／１００平方センチメートルの割合で全面に施して、引き出しの下部の両サイドにスライドレールを取り付けた、収納物吸湿可能な引き出し付き家具。
【請求項２】
引き出しを持つ箱型家具が備える引き出しは、前板に取っ手を形成し、引き出しの両サイドの下部位置に開閉の摺動をスムーズにできるロール付きスライドレールを取り付けた、縦６０〜３００ｍｍ、横２００〜１２００ｍｍ、奥行き２５０〜４５０ｍｍの引き出しを、底板の面積を０．０５〜０．５５平方メートルであって、３〜５ｍｍの木製合板の底板表面に穴部を８０〜９００個パンチング加工によって形成されていることを特徴とする請求項１に記載の収納物吸湿可能な引き出し付き家具。
【請求項３】
引き出しを持つ箱型家具内部に張る高吸湿・吸臭性無機性平板の成分は、吸臭性、並びに吸湿性を高めたバーミキュライトとケイ酸カルシウムからなる基材に配合されており、その配合量が全組成物（固形分）の５〜７０質量％であって、その他石灰質材料と補強繊維を含有している吸臭・吸湿できる略正方形、又は略長方形の平版形状を、各引き出し間の中間桟材である中棚板の上面０．０５〜０．５５平方メートルに５０〜９０％範囲の面積で、厚さ４〜６ｍｍ、縦横それぞれ１５０〜９００ｍｍの高吸湿・吸臭性平板を張っていることを特徴とする請求項１、又は請求項２に記載の収納物吸湿可能な引き出し付き家具。
【考案の詳細な説明】
【技術分野】
【０００１】本考案は、引き出しを持つ箱型家具において、引き出し内部の内容物を吸湿、吸臭を行うことができる収納物吸湿可能な引き出し付き家具に関するものである。
【背景技術】
【０００２】パーミキュライトとケイ酸カルシウムと繊維質材とを含む調湿材であるモイス（商品名）は家具に種々使用されている。とくに吸湿、並びに吸臭の効果としている。吸湿性、並びに吸臭性をもって、オンリーワンの独創的な家具において安価に、自由度を高めたものであって、安価で自然感をもたらされたデザイン性無機性化粧表面材を使用した家具として、無機性化粧表面材６は、吸湿性、並びに吸臭性を高めた無機性であるバーミキュライトとケイ酸カルシウムが配合された基材からなり、その配合量が全組成物（固形分）の５〜７０質量％であって、その他石灰質材料と補強繊維を含有している無機性調湿材を主成分として平板の表面に特殊の装飾模様を呈している無機性平板を木質板に貼って構成され、家具は、この無機性化粧表面材が表面部に２０〜１００％割合で使用されている。（特許文献１参照）。【０００４】人の生活するに最適の環境・居住空間をもたらすことのできる調湿・脱臭機能を備えた家庭内部屋に設置した有用な木質板スノコを提供するために、木質板の隙間を持たせて並べ合わせた板材面上に、各木質板材に凹彫り込み部空間を形成されるとともに、上記凹彫り込み部に無機質調湿・吸湿材の板材を嵌着・装填している無機質調湿・吸湿材を嵌め込んだ木質板スノコが提案されている（特許文献２参照）。【０００５】キッチン周りにおいて長時間使用されても、吸臭、及び吸湿の能力が高いため乾燥した表面状態を維持できる箱状容器で、しかも良好な衛生状態を維持しうる吸湿・吸臭無機質箱状容器として、吸臭・吸湿できる立体ボックス体１において、厚さ４〜１５ｍｍの吸湿・吸臭用無機質の平板から製作された縦２００〜７００ｍｍ、横２００〜９００ｍｍ、高さ２００〜１８００ｍｍの略正方形、又は略長方形の箱体が構成されている当該ボックス体１の６面のうち、４〜５面をパーミキュライトとケイ酸カルシウムと繊維質材とを含む高吸湿・吸臭性平板２からなる収納部とし、収納部の６面体の形状のうち、１〜２面を開口にしているものが提案されている（特許文献３参照）。【０００６】リビングルームにおいて長時間使用されても、吸臭、及び吸湿の能力を持つ無機吸湿材料を持っている吸湿材付き装飾性テレビボードとして、吸湿できるテレビボードであって、厚さ０．１〜２５ｍｍオーク、又はウォルナット木製の突板張り板、又は平板から製作された幅１２００〜２０００ｍｍ、奥行き４００〜５００ｍｍ、高さ２００〜５００ｍｍの略長方形の箱体３で、前面に棚８付き開き戸と引き出しとテレビ積載台で構成されており、箱体内部の１〜４面にパーミキュライトとケイ酸カルシウムと繊維質材とを含む調湿材で、厚さ３〜６ｍｍで、縦横それぞれ１５０〜９００ｍｍの高吸湿・吸臭性平板２を張った収納内部で、１〜４箇所で開閉可能にしている吸湿材付き装飾性テレビボードが提案されている（特許文献４参照）。【０００７】キッチン周りにおいて長時間使用されても、吸臭、及び吸湿の能力が高いため乾燥した表面状態を維持できる無機吸湿材料を持っている容器で、しかも良好な衛生状態を維持しうる吸湿・吸臭ボックス体として、吸臭・吸湿できる立体ボックス体において、厚さ５〜２５ｍｍ木製の平板から製作された縦３５０〜７００ｍｍ、横３５０〜７００ｍｍ、高さ５００〜７００ｍｍの略正方形、又は略長方形の箱体が構成されて、箱体の１〜２面が開閉できる面からなるボックス体において、内部の６面のうち３〜４面にパーミキュライトとケイ酸カルシウムと繊維質材とを含む調湿材である、厚さ３〜１０ｍｍで、縦横それぞれ３００〜６５０ｍｍの高吸湿・吸臭性平板を内部に張って収納部とし、収納部の６面体の形状のうち、１〜２面が開閉できる容器体が提案されている（特許文献５参照）。【０００８】引き出しを持つ箱型家具チェストにおいて、収納物の臭いの低減などから吸湿材の必要が望まれており、種々提案されている。特にパーミキュライトとケイ酸カルシウムと繊維質材とを含む調湿材、および珪藻土の吸湿材が広く利用されているが、吸湿材としては効果を発揮するが、使用方法で十分な吸湿効果を示していない。箪笥、チェストには臭い、湿気を含むものを収納することがあるが、その場合には臭いの発生を起こすこともある。そのチェストなどの密閉箱形家具において収納時に吸湿効果を高めることが期待されている。現在そのような箱型家具で、吸湿性を十分にもたらされているは少なく、その提供が期待されている。
【先行技術文献】
【特許文献】
【０００９】
【特許文献１】実用新案登録第３２２２００３号公報
【特許文献２】実用新案登録第３２１６３３１号公報
【特許文献３】実用新案登録第３２１２５７１号公報
【特許文献４】実用新案登録第３２０７１４３号公報
【特許文献５】実用新案登録第３２０６５３０号公報
【考案の概要】
【考案が解決しようとする課題】
【００１０】引き出しを持つ箱型家具において、長期間収納すると、内部に臭いの発生が起こり、特に梅雨時には十分に乾燥していないものを収納することがあって、カビ、臭いの発生をもたらす。箱型容器の収納家具では、収納物の臭いの低減を計るために吸湿材の取り付けが望まれており、種々提案されている。一般に吸湿材としてパーミキュライトとケイ酸カルシウムと繊維質材とを含む調湿材、および珪藻土の吸湿材が存在するが、耐久性、破損性から前者のものが広く利用されている。しかし家具によって取り付ける位置、方法によって吸湿材としての効果が変わってくる。例えば収納物の上面に置くか、下面に置くかによっても効果が変わってくる。一般的には作業性から上面に置くことが多い。しかし使用方法で十分な吸湿効果を示していない。【００１１】箪笥、チェストの密閉容器の家具において、収納物からの臭いを防いで、内部の湿気を低減して、臭いの根源を断つことである。すなわち引き出しの内部の収納物の湿気を十分に取り除く方法の提案が望まれている。湿気を含む収納物を収納することがあっても、吸湿効果を発揮できるチェストを提案することである。その場合には臭いの発生を起こすこともある。そのチェストなどの密閉箱形家具において収納時に吸湿効果を高めることとして、引き出しの構造、及び調湿材の設置位置をいかにするかである。現在そのような箱型家具で、吸湿性を十分にもたらされているものは少なく、そのような吸湿効果を高めた箱型家具の提供を行うものである。
【課題を解決するための手段】
【００１２】引き出しを持つ箱型家具において、各中棚板にパーミキュライトとケイ酸カルシウムと繊維質材とを含む調湿材である、厚さ４〜６ｍｍで、縦横それぞれ１５０〜９００ｍｍの高吸湿・吸臭性平板を張り、各引き出しの底板に直径３〜８ｍｍφの貫通穴部を５〜２０個／１００平方センチメートルの割合で全面に施して、引き出しの下部の両サイドにスライドレールを取り付けた、収納物吸湿可能な引き出し付き家具である。【００１３】引き出しを持つ箱型家具が備える引き出しは、前板に取っ手を形成し、引き出しの両サイドの下部位置に開閉の摺動をスムーズにできるロール付きスライドレールを取り付けた、縦６０〜３００ｍｍ、横２００〜１２００ｍｍ、奥行き２５０〜４５０ｍｍの引き出しを、底板の面積を０．０５〜０．５５平方メートルであって、３〜５ｍｍの木製合板の底板表面に穴部を８０〜９００個パンチング加工によって形成されている。【００１４】引き出しを持つ箱型家具内部に張る高吸湿・吸臭性無機性平板の成分は、吸臭性、並びに吸湿性を高めたバーミキュライトとケイ酸カルシウムからなる基材に配合されており、その配合量が全組成物（固形分）の５〜７０質量％であって、その他石灰質材料と補強繊維を含有している吸臭・吸湿できる略正方形、又は略長方形の平版形状を、各引き出し間の中間桟材である中棚板の上面０．０５〜０．５５平方メートルに５０〜９０％の面積で、厚さ４〜６ｍｍ、縦横それぞれ１５０〜９００ｍｍの高吸湿・吸臭性平板を張っている。
【考案の効果】
【００１５】箪笥、チェストの密閉容器の家具において、チェストなどの密閉箱形家具において収納時に吸湿効果を高めること、引き出しの構造、及び調湿材の設置位置を下にして作製することによって、収納物からの臭いを防いで、内部の湿気を低減して、とくに引き出しの内部の収納物の湿気を十分に取り除いた。チェスト内には臭いの発生を起こすことはほとんどなく、非常に衛生的であった。現在そのような箱型家具で、吸湿性を十分にもたらされて、吸臭・吸湿効果を高めた箱型家具を提供することができた。
【図面の簡単な説明】
【００１６】
【図１】収納物吸湿可能な引き出し付き家具の斜視図である。
【図２】収納物吸湿可能な引き出し付き家具の引き出し（穴部）の状態図である。
【図３】収納物吸湿可能な引き出し付き家具で調湿材モイス（商品名）の設置状況の図である。
【考案を実施するための形態】
【００１７】以下、本考案の実施形態について、引き出しの底にパンチング穴部を持ち、中棚板部に調湿材であるモイス（商品名）を使用したチェストの概略斜視図である図面を参照して説明する。
【実施例１】
【００１８】図１に示す引き出しを持つ箱型家具において、図３に示すように各中棚板にパーミキュライトとケイ酸カルシウムと繊維質材とを含む調湿材（モイス商品名）である厚さ４ｍｍで、縦横それぞれ２９５×４４５ｍｍの高吸湿・吸臭性平板を張り、図２に示すように各引き出しの底板に直径５ｍｍφの貫通穴部を１６個／１００平方センチメートルの割合で全面に施して、引き出しの下部の両サイドにスライドレールを取り付けた、収納物吸湿可能な引き出し付き家具を製作した。【００１９】図２のような引き出しを持つ箱型家具が備える引き出しは、前板に取手を形成し、引き出しの両サイドの下部位置に開閉の摺動をスムーズにできるロール付きスライドレールを取り付けた、縦１８０ｍｍ、横５２２ｍｍ、奥行き４００ｍｍの引き出しを、底板の面積を０．２１平方メートルであって、４ｍｍの合板の底板表面に穴部を３２０個パンチング加工によって形成した。【００２０】引き出しを持つ箱型家具内部に張る高吸湿・吸臭性無機性平板の成分は、吸臭性、並びに吸湿性を高めたバーミキュライトとケイ酸カルシウムからなる基材に配合されており、その配合量が全組成物（固形分）の６０質量％であって、その他石灰質材料と補強繊維を含有している吸臭・吸湿できる略正方形、又は略長方形の平版形状を、各引き出し間の中間桟材である中棚板の上面０．２３平方メートルに、厚さ４ｍｍ、縦横それぞれ２９５×４４５ｍｍの高吸湿・吸臭性平板を張った。
【実施例２】
【００２１】図１に示す引き出しを持つ箱型家具において、図３に示すように各中棚板にパーミキュライトとケイ酸カルシウムと繊維質材とを含む調湿材（モイス商品名）である、厚さ６ｍｍで、縦横それぞれ３５５×４４５ｍｍの高吸湿・吸臭性平板を張り、図２に示すように各引き出しの底板に直径５ｍｍφの貫通穴部を２０個／１００平方センチメートルの割合で全面に施して、引き出しの下部の両サイドにスライドレールを取り付けた、収納物吸湿可能な引き出し付き家具を製作した。【００２２】引き出しを持つ箱型家具が備える引き出しは、前板に取手を形成し、引き出しの両サイドの下部位置に開閉の摺動をスムーズにできるロール付きスライドレールを取り付けた、縦１２０ｍｍ、横７３２ｍｍ、奥行き４５０ｍｍの引き出しを、底板の面積を０．３３平方メートルであって、４ｍｍの合板の底板表面に穴部を６６０個パンチング加工によって形成した。【００２３】引き出しを持つ箱型家具内部に張る高吸湿・吸臭性無機性平板の成分は、吸臭性、並びに吸湿性を高めたバーミキュライトとケイ酸カルシウムからなる基材に配合されており、その配合量が全組成物（固形分）の５〜７０質量％であって、その他石灰質材料と補強繊維を含有している吸臭・吸湿できる略正方形、又は略長方形の平版形状を、各引き出し間の中間桟材である中棚板の上面０．３９平方メートルに、厚さ６ｍｍ、縦横それぞれ３５５×４４５ｍｍの高吸湿・吸臭性平板を張った。
【実施例３】
【００２４】図１に示す引き出しを持つ箱型家具において、図３に示すように各中棚板にパーミキュライトとケイ酸カルシウムと繊維質材とを含む調湿材（モイス商品名）である、厚さ４ｍｍで、縦横それぞれ２９５×２２０ｍｍの高吸湿・吸臭性平板を張り、図２に示すように各引き出しの底板に直径５ｍｍφの貫通穴部を１２個／１００平方センチメートルの割合で全面に施して、引き出しの下部の両サイドにスライドレールを取り付けた、収納物吸湿可能な引き出し付き家具を製作した。【００２５】引き出しを持つ箱型家具が備える引き出しは、前板に取手を形成し、引き出しの両サイドの下部位置に開閉の摺動をスムーズにできるロール付きスライドレールを取り付けた、縦１００ｍｍ、横４６８ｍｍ、奥行き４００ｍｍの引き出しを、底板の面積を０．１９平方メートルであって、４ｍｍの合板の底板表面に穴部を２２５個パンチング加工によって形成した。【００２６】引き出しを持つ箱型家具内部に張る高吸湿・吸臭性無機性平板の成分は、吸臭性、並びに吸湿性を高めたバーミキュライトとケイ酸カルシウムからなる基材に配合されており、その配合量が全組成物（固形分）の５〜７０質量％であって、その他石灰質材料と補強繊維を含有している吸臭・吸湿できる略正方形、又は略長方形の平版形状を、各引き出し間の中間桟材である中棚板の上面０．２平方メートルに、厚さ４ｍｍ、縦横それぞれ２９５×２２０ｍｍの高吸湿・吸臭性平板を張った。
【符号の説明】
【００２７】１、箱型家具チェスト
２、引き出し
３、前板
４、取手
５、調湿材（モイス板）
６、パンチング穴部
７、底板
８、側板
９、スライドレール
１０、天板
１１、中棚板
【図１】
0003229591.tif 000003
【図２】
0003229591.tif 000004
【図３】
0003229591.tif 000005